(57)【要約】  ３Ｄ表示システムのための新規な光源は、複数の左眼用発光素子と複数の右眼用発光素子とを備える。左眼用発光素子は、青色帯域、緑色帯域、および赤色帯域の各々において、幅広スペクトル分布の発光素子と、これに重複する狭スペクトル分布の発光素子とを含む。同様に、右眼用発光素子は、青色帯域、緑色帯域および赤色帯域の各々において、幅広スペクトル分布の発光素子と、これに重複する狭スペクトル分布の発光素子とを含む。幅広発光素子および狭発光素子の各々の組合せスペクトル分布は、各色および各眼について、広い帯域および短い裾を有する所望のスペクトル形状をもつ原色光を提供する。これにより、本発明は、３Ｄ表示システムの左眼用画像および右眼用画像におけるクロストークおよびスペックルを最小化する。【選択図】図２
2019537742.tif 000002
【特許請求の範囲】
【請求項１】
３Ｄ表示システムのための光源であって、
第１の色範囲内に第１のスペクトル分布を有する光を出射するように動作する第１の発光素子であって、前記第１のスペクトル分布は、中心波長および特定の半値全幅（ＦＷＨＭ）を有する、第１の発光素子と、
前記第１の色範囲内に第２のスペクトル分布を有する光を出射するように動作する第２の発光素子であって、前記第２のスペクトル分布は、前記第１のスペクトル分布から間隔をあけて位置している、第２の発光素子と、
前記第１の色範囲内に第３のスペクトル分布を有する光を出射するように動作する第３の発光素子であって、前記第３のスペクトル分布は、前記第１のスペクトル分布の一部と重なり、前記第２のスペクトル分布から間隔をあけて位置し、前記第１のスペクトル分布の前記中心波長と前記第２のスペクトル分布の前記中心波長との間に中心波長を有し、前記第１のスペクトル分布の前記ＦＷＨＭよりも小さい特定のＦＷＨＭを有する、第３の発光素子と、
を備える光源。
【請求項２】
前記第１の色範囲内に第４のスペクトル分布を有する光を出射するように動作する第４の発光素子であって、前記第４のスペクトル分布は、前記第２のスペクトル分布の一部と重なり、前記第３のスペクトル分布から間隔をあけて位置し、前記第２のスペクトル分布の前記中心波長と前記第３のスペクトル分布の前記中心波長との間に中心波長を有し、前記第２のスペクトル分布のＦＷＨＭよりも小さい特定のＦＷＨＭを有する、第４の発光素子
をさらに備える、請求項１に記載の光源。
【請求項３】
前記第１の色範囲は、可視スペクトルの赤色部分内にある、請求項２に記載の光源。
【請求項４】
前記第１の色範囲は、可視スペクトルの緑色部分内にある、請求項２に記載の光源。
【請求項５】
第２の色範囲内に第５のスペクトル分布を有する光を出射するように動作する第５の発光素子であって、前記第５のスペクトル分布は、中心波長および特定の半値全幅（ＦＷＨＭ）を有する、第５の発光素子と、
前記第２の色範囲内に第６のスペクトル分布を有する光を出射するように動作する第６の発光素子であって、前記第６のスペクトル分布は、前記第５のスペクトル分布から間隔をあけて位置している、第６の発光素子と、
前記第２の色範囲内に第７のスペクトル分布を有する光を出射するように動作する第７の発光素子であって、前記第７のスペクトル分布は、前記第５のスペクトル分布の一部と重なり、前記第６のスペクトル分布から間隔をあけて位置し、前記第５のスペクトル分布の前記中心波長と前記第６のスペクトル分布の前記中心波長との間に中心波長を有し、前記第５のスペクトル分布の前記ＦＷＨＭよりも小さい特定のＦＷＨＭを有する、第７の発光素子と、
をさらに備える、請求項２に記載の光源。
【請求項６】
前記第２の色範囲内に第８のスペクトル分布を有する光を出射するように動作する第８の発光素子であって、前記第８のスペクトル分布は、前記第６のスペクトル分布の一部と重なり、前記第７のスペクトル分布から間隔をあけて位置し、前記第６のスペクトル分布の前記中心波長と前記第７のスペクトル分布の前記中心波長との間に中心波長を有し、前記第６のスペクトル分布のＦＷＨＭよりも小さい特定のＦＷＨＭを有する、第８の発光素子
をさらに備える、請求項５に記載の光源。
【請求項７】
前記第１の色範囲は、可視スペクトルの赤色部分内にあり、
前記第２の色範囲は、可視スペクトルの緑色部分内にある、
請求項５に記載の光源。
【請求項８】
第３の色範囲内に第９のスペクトル分布を有する光を出射するように動作する第９の発光素子であって、前記第９のスペクトル分布は、中心波長および特定の半値全幅（ＦＷＨＭ）を有する、第９の発光素子と、
前記第３の色範囲内に第１０のスペクトル分布を有する光を出射するように動作する第１０の発光素子であって、前記第１０のスペクトル分布は、前記第９のスペクトル分布から間隔をあけて位置している、第１０の発光素子と、
前記第３の色範囲内に第１１のスペクトル分布を有する光を出射するように動作する第１１の発光素子であって、前記第１１のスペクトル分布は、前記第９のスペクトル分布の一部と重なり、前記第１０のスペクトル分布から間隔をあけて位置し、前記第９のスペクトル分布の前記中心波長と前記第１０のスペクトル分布の前記中心波長との間に中心波長を有し、前記第９のスペクトル分布の前記ＦＷＨＭよりも小さい特定のＦＷＨＭを有する、第１１の発光素子と、
をさらに備える、請求項６に記載の光源。
【請求項９】
前記第３の色範囲内に第１２のスペクトル分布を有する光を出射するように動作する第１２の発光素子であって、前記第１２のスペクトル分布は、前記第１０のスペクトル分布の一部と重なり、前記第１１のスペクトル分布から間隔をあけて位置し、前記第１０のスペクトル分布の前記中心波長と前記第１１のスペクトル分布の前記中心波長との間に中心波長を有し、前記第１０のスペクトル分布のＦＷＨＭよりも小さい特定のＦＷＨＭを有する、第１２の発光素子
をさらに備える、請求項８に記載の光源。
【請求項１０】
前記第１の色範囲は、可視スペクトルの赤色部分内にあり、
前記第２の色範囲は、可視スペクトルの緑色部分内にあり、
前記第３の色範囲は、可視スペクトルの青色部分内にある、
請求項９に記載の光源。
【請求項１１】
前記第１のスペクトル分布のＦＷＨＭは、４ナノメートル以上であり、
前記第３のスペクトル分布のＦＷＨＭは、２ナノメートル以下である、
請求項１に記載の光源。
【請求項１２】
３Ｄ表示システムのための光源であって、
第１の色範囲内に第１のスペクトル分布を有する光を出射するように動作する第１の発光素子であって、前記第１のスペクトル分布は、ピークおよび裾を有する、第１の発光素子と、
前記第１の色範囲内に第２のスペクトル分布を有する光を出射するように動作する第２の発光素子であって、前記第２のスペクトル分布は、前記第１のスペクトル分布から間隔をあけて位置し、ピークおよび裾を有する、第２の発光素子と、
前記第１の色範囲内に第３のスペクトル分布を有する光を出射するように動作する第３の発光素子であって、前記第３のスペクトル分布は、前記第１のスペクトル分布の一部と重なり、前記第２のスペクトル分布から間隔をあけて位置し、前記第１のスペクトル分布の前記ピークと前記第２のスペクトル分布の前記ピークとの間にピークを有し、前記第１のスペクトル分布の前記裾よりも急峻に下降する裾を有する、第３の発光素子と、
を備える光源。
【請求項１３】
前記第１の色範囲内に第４のスペクトル分布を有する光を出射するように動作する第４の発光素子であって、前記第４のスペクトル分布は、前記第２のスペクトル分布の一部と重なり、前記第３のスペクトル分布から間隔をあけて位置し、前記第２のスペクトル分布の前記ピークと前記第３のスペクトル分布の前記ピークとの間にピークを有し、前記第２のスペクトル分布の前記裾よりも急峻に下降する裾を有する、第４の発光素子
をさらに備える、請求項１２に記載の光源。
【請求項１４】
前記第１の色範囲は、可視スペクトルの赤色部分内にある、請求項１３に記載の光源。
【請求項１５】
前記第１の色範囲は、可視スペクトルの緑色部分内にある、請求項１３に記載の光源。
【請求項１６】
第２の色範囲内に第５のスペクトル分布を有する光を出射するように動作する第５の発光素子であって、前記第５のスペクトル分布は、ピークおよび裾を有する、第５の発光素子と、
前記第２の色範囲内に第６のスペクトル分布を有する光を出射するように動作する第６の発光素子であって、前記第６のスペクトル分布は、前記第５のスペクトル分布から間隔をあけて位置し、ピークおよび裾を有する、第６の発光素子と、
前記第２の色範囲内に第７のスペクトル分布を有する光を出射するように動作する第７の発光素子であって、前記第７のスペクトル分布は、前記第５のスペクトル分布の一部と重なり、前記第６のスペクトル分布から間隔をあけて位置し、前記第５のスペクトル分布の前記ピークと前記第６のスペクトル分布の前記ピークとの間にピークを有し、前記第５のスペクトル分布の前記裾よりも急峻に下降する裾を有する、第７の発光素子と、
をさらに備える、請求項１３に記載の光源。
【請求項１７】
前記第２の色範囲内に第８のスペクトル分布を有する光を出射するように動作する第８の発光素子であって、前記第８のスペクトル分布は、前記第６のスペクトル分布の一部と重なり、前記第７のスペクトル分布から間隔をあけて位置し、前記第６のスペクトル分布の前記ピークと前記第７のスペクトル分布の前記ピークとの間にピークを有し、前記第６のスペクトル分布の前記裾よりも急峻に下降する裾を有する、第８の発光素子
をさらに備える、請求項１６に記載の光源。
【請求項１８】
前記第１の色範囲は、可視スペクトルの赤色部分内にあり、
前記第２の色範囲は、可視スペクトルの緑色部分内にある、
請求項１６に記載の光源。
【請求項１９】
第３の色範囲内に第９のスペクトル分布を有する光を出射するように動作する第９の発光素子であって、前記第９のスペクトル分布は、ピークおよび裾を有する、第９の発光素子と、
前記第３の色範囲内に第１０のスペクトル分布を有する光を出射するように動作する第１０の発光素子であって、前記第１０のスペクトル分布は、前記第９のスペクトル分布から間隔をあけて位置し、ピークおよび裾を有する、第１０の発光素子と、
前記第３の色範囲内に第１１のスペクトル分布を有する光を出射するように動作する第１１の発光素子であって、前記第１１のスペクトル分布は、前記第９のスペクトル分布の一部と重なり、前記第１０のスペクトル分布から間隔をあけて位置し、前記第９のスペクトル分布の前記ピークと前記第１０のスペクトル分布の前記ピークとの間にピークを有し、前記第９のスペクトル分布の前記裾よりも急峻に下降する裾を有する、第１１の発光素子と、
をさらに備える、請求項１７に記載の光源。
【請求項２０】
前記第３の色範囲内に第１２のスペクトル分布を有する光を出射するように動作する第１２の発光素子であって、前記第１２のスペクトル分布は、前記第１０のスペクトル分布の一部と重なり、前記第１１のスペクトル分布から間隔をあけて位置し、前記第１０のスペクトル分布の前記ピークと前記第１１のスペクトル分布の前記ピークとの間にピークを有し、前記第１０のスペクトル分布の前記裾よりも急峻に下降する裾を有する、第１２の発光素子
をさらに備える、請求項１９に記載の光源。
【請求項２１】
前記第１の色範囲は、可視スペクトルの赤色部分内にあり、
前記第２の色範囲は、可視スペクトルの緑色部分内にあり、
前記第３の色範囲は、可視スペクトルの青色部分内にある、
請求項２０に記載の光源。
【請求項２２】
前記第１のスペクトル分布のＦＷＨＭは、４ナノメートル以上であり、
前記第３のスペクトル分布のＦＷＨＭは、２ナノメートル以下である、
請求項１２に記載の光源。
【請求項２３】
３Ｄ表示システムのための光源であって、前記光源は、
第１の色範囲内に第１のスペクトル帯域を形成する、重なり合うスペクトル分布を有する第１の複数の発光素子であって、前記第１の複数の発光素子のうちの１つは、前記第１のスペクトル帯域の縁を形成し、かつ２ナノメートル以下の半値全幅（ＦＷＨＭ）をもつスペクトル分布を有する、第１の複数の発光素子と、
前記第１の色範囲内にあるが、前記第１のスペクトル帯域から間隔をあけて位置する第２のスペクトル帯域を形成する、重なり合うスペクトル分布を有する第２の複数の発光素子であって、前記第２の複数の発光素子のうちの１つは、前記第２のスペクトル帯域の縁を形成し、かつ２ナノメートル以下の半値全幅（ＦＷＨＭ）をもつスペクトル分布を有する、第２の複数の発光素子と、
を備え、
前記第１のスペクトル帯域の前記縁は、前記第１のスペクトル帯域の前記第２のスペクトル帯域に近い方の側にあり、
前記第２のスペクトル帯域の前記縁は、前記第２のスペクトル帯域の前記第１のスペクトル帯域に近い方の側にある、
光源。
【請求項２４】
前記第１の色範囲は、可視スペクトルの赤色部分内にある、
請求項２３に記載の光源。
【請求項２５】
前記第１の複数の発光素子のうちの少なくとも１つの他の発光素子は、４ナノメートル以上のＦＷＨＭをもつスペクトル分布を有する、
請求項２３に記載の光源。
【請求項２６】
３Ｄ表示システムのための光源を製造する方法であって、
第１の色範囲内に第１のスペクトル分布を有する光を出射するように動作する第１の発光素子を用意する工程であって、前記第１のスペクトル分布は、中心波長および特定の半値全幅（ＦＷＨＭ）を有する、工程と、
前記第１の色範囲内に第２のスペクトル分布を有する光を出射するように動作する第２の発光素子を用意する工程であって、前記第２のスペクトル分布は、前記第１のスペクトル分布から間隔をあけて位置している、工程と、
前記第１の色範囲内に第３のスペクトル分布を有する光を出射するように動作する第３の発光素子を用意する工程であって、前記第３のスペクトル分布は、前記第１のスペクトル分布の一部と重なり、前記第２のスペクトル分布から間隔をあけて位置し、前記第１のスペクトル分布の前記中心波長と前記第２のスペクトル分布の前記中心波長との間に中心波長を有し、前記第１のスペクトル分布の前記ＦＷＨＭよりも小さい特定のＦＷＨＭを有する、工程と、
前記第１の発光素子と、前記第２の発光素子と、前記第３の発光素子とを備えるように前記光源を組み立てる工程と、
を含む方法。
【請求項２７】
前記方法は、
前記第１の色範囲内に第４のスペクトル分布を有する光を出射するように動作する第４の発光素子を用意する工程であって、前記第４のスペクトル分布は、前記第２のスペクトル分布の一部と重なり、前記第３のスペクトル分布から間隔をあけて位置し、前記第２のスペクトル分布の前記中心波長と前記第３のスペクトル分布の前記中心波長との間に中心波長を有し、前記第２のスペクトル分布のＦＷＨＭよりも小さい特定のＦＷＨＭを有する、工程をさらに含み、
前記光源を組み立てる工程は、前記第４の発光素子を備えるように前記光源を組み立てる工程を含む、
請求項２６に記載の方法。
【請求項２８】
前記光源を組み立てる工程は、
前記第１の発光素子および前記第３の発光素子を組み合わせて、第１のプロジェクタに光を与えるように構成されたモジュールを構成する工程と、
前記第２の発光素子および前記第４の発光素子を組み合わせて、第２のプロジェクタに光を与えるように構成されたモジュールを構成する工程と、
を含む、
請求項２６に記載の方法。
【請求項２９】
前記方法は、
第２の色範囲内に第５のスペクトル分布を有する光を出射するように動作する第５の発光素子を用意する工程であって、前記第５のスペクトル分布は、中心波長および特定の半値全幅（ＦＷＨＭ）を有する、工程と、
前記第２の色範囲内に第６のスペクトル分布を有する光を出射するように動作する第６の発光素子を用意する工程であって、前記第６のスペクトル分布は、前記第５のスペクトル分布から間隔をあけて位置している、工程と、
前記第２の色範囲内に第７のスペクトル分布を有する光を出射するように動作する第７の発光素子を用意する工程であって、前記第７のスペクトル分布は、前記第５のスペクトル分布の一部と重なり、前記第６のスペクトル分布から間隔をあけて位置し、前記第５のスペクトル分布の前記中心波長と前記第６のスペクトル分布の前記中心波長との間に中心波長を有し、前記第５のスペクトル分布の前記ＦＷＨＭよりも小さい特定のＦＷＨＭを有する、工程と、
前記第２の色範囲内に第８のスペクトル分布を有する光を出射するように動作する第８の発光素子を用意する工程であって、前記第８のスペクトル分布は、前記第６のスペクトル分布の一部と重なり、前記第７のスペクトル分布から間隔をあけて位置し、前記第６のスペクトル分布の前記中心波長と前記第７のスペクトル分布の前記中心波長との間に中心波長を有し、前記第６のスペクトル分布のＦＷＨＭよりも小さい特定のＦＷＨＭを有する、工程と、
をさらに含み、
前記光源を組み立てる工程は、前記第５の発光素子と、前記第６の発光素子と、前記第７の発光素子と、前記第８の発光素子とを備えるように前記光源を組み立てる工程を含む、
請求項２７に記載の方法。
【請求項３０】
前記光源を組み立てる工程は、
前記第１の発光素子、前記第３の発光素子、前記第５の発光素子、および前記第７の発光素子を組み合わせて、第１のプロジェクタに光を与えるように構成されたモジュールを構成する工程と、
前記第２の発光素子、前記第４の発光素子、前記第６の発光素子、および前記第８の発光素子を組み合わせて、第２のプロジェクタに光を与えるように構成されたモジュールを構成する工程と、
を含む、
請求項２９に記載の方法。
【請求項３１】
前記第１の色範囲は、可視スペクトルの赤色部分内にあり、
前記第２の色範囲は、可視スペクトルの緑色部分内にある、
請求項３０に記載の方法。
【請求項３２】
前記方法は、
第３の色範囲内に第９のスペクトル分布を有する光を出射するように動作する第９の発光素子を用意する工程であって、前記第９のスペクトル分布は、中心波長および特定の半値全幅（ＦＷＨＭ）を有する、工程と、
前記第３の色範囲内に第１０のスペクトル分布を有する光を出射するように動作する第１０の発光素子を用意する工程であって、前記第１０のスペクトル分布は、前記第９のスペクトル分布から間隔をあけて位置している、工程と、
前記第３の色範囲内に第１１のスペクトル分布を有する光を出射するように動作する第１１の発光素子を用意する工程であって、前記第１１のスペクトル分布は、前記第９のスペクトル分布の一部と重なり、前記第１０のスペクトル分布から間隔をあけて位置し、前記第９のスペクトル分布の前記中心波長と前記第１０のスペクトル分布の前記中心波長との間に中心波長を有し、前記第９のスペクトル分布の前記ＦＷＨＭよりも小さい特定のＦＷＨＭを有する、工程と、
前記第３の色範囲内に第１２のスペクトル分布を有する光を出射するように動作する第１２の発光素子を用意する工程であって、前記第１２のスペクトル分布は、前記第１０のスペクトル分布の一部と重なり、前記第１１のスペクトル分布から間隔をあけて位置し、前記第１０のスペクトル分布の前記中心波長と前記第１１のスペクトル分布の前記中心波長との間に中心波長を有し、前記第１０のスペクトル分布のＦＷＨＭよりも小さい特定のＦＷＨＭを有する、工程と、
をさらに含み、
前記光源を組み立てる工程は、前記第９の発光素子と、前記第１０の発光素子と、前記第１１の発光素子と、前記第１２の発光素子とを備えるように前記光源を組み立てる工程を含む、
請求項２９に記載の方法。
【請求項３３】
前記光源を組み立てる工程は、
前記第１の発光素子、前記第３の発光素子、前記第５の発光素子、前記第７の発光素子、前記第９の発光素子、および前記第１１の発光素子を組み合わせて、第１のプロジェクタに光を与えるように構成されたモジュールを構成する工程と、
前記第２の発光素子、前記第４の発光素子、前記第６の発光素子、前記第８の発光素子、前記第１０の発光素子、および前記第１２の発光素子を組み合わせて、第２のプロジェクタに光を与えるように構成されたモジュールを構成する工程と、
を含む、
請求項３２に記載の方法。
【請求項３４】
前記第１の色範囲は、可視スペクトルの赤色部分内にあり、
前記第２の色範囲は、可視スペクトルの緑色部分内にあり、
前記第３の色範囲は、可視スペクトルの青色部分内にある、
請求項３３に記載の方法。
【発明の詳細な説明】
【技術分野】
【０００１】
本願は、２０１６年９月３０日に出願された米国仮特許出願第６２／４０２，９２３号に基づく優先権を主張するものであり、その開示内容を全て本願に援用する。
【０００２】
本発明は、３Ｄ画像表示システム全般に関し、より詳細には、３Ｄ画像表示システムにおいて使用するための光源に関する。
【背景技術】
【０００３】
現在、６原色（６Ｐ）レーザプロジェクタなどの３Ｄ画像表示システムが求められている。６Ｐレーザプロジェクタは、通常、２つの重なり合う画像をスクリーン上にそれぞれ投影する２つの投影レンズアセンブリを備える。観察者は、一方のレンズが一方の画像を通さず、他方のレンズが他方の画像を通さない特殊なレンズを有するアイウェア（ｅｙｅｗｅａｒ）を装着する。したがって、６Ｐレーザプロジェクタの一方のレンズアセンブリは、左眼用画像を投影し、他方のレンズアセンブリは、右眼用画像を投影する。これにより、観察者は、両方の画像を同時に１つの３Ｄ画像として知覚する。
【０００４】
左眼用画像および右眼用画像は、それぞれ一組の赤色光、緑色光および青色光によって生成される。したがって、６Ｐレーザ投影システムは、６つのレーザを備え、左眼用レーザは、左眼用画像を生成するための波長ＲＬＧＬＢＬを有し、右眼用レーザは、右眼用画像を生成するための波長ＲＲＧＲＢＲを有する。３Ｄ眼鏡のレンズが左眼用レーザおよび右眼用レーザからの光を区別するためには、各色帯域について波長ＲＬＧＬＢＬが波長ＲＲＧＲＢＲと異ならなければならない。すなわち、ＲＬはＲＲと異なる波長を有し、ＧＬはＧＲと異なる波長を有し、ＢＬはＢＲと異なる波長を有している必要がある。各眼に対応づけられた原色光のスペクトル帯域が近すぎる場合、左眼および右眼が見たものの間で画像クロストークが生じ得る。
【発明の概要】
【発明が解決しようとする課題】
【０００５】
本発明は、比較的短い裾（ｔａｉｌ）を有する比較的狭いスペクトル分布を有する発光素子を備える光源を設けることにより、従来技術に関する課題を解決する。本発明は、スペックルの影響の低減を容易にする。さらに、本発明は、スペクトル帯域間の分離の向上を容易にし、このことにより、同じ色範囲内のスペクトル帯域間のクロストークを低減する。
【課題を解決するための手段】
【０００６】
３Ｄ表示システムのための例示的な光源は、第１の発光素子と、第２の発光素子と、第３の発光素子と、第４の発光素子とを備える。第１の発光素子は、第１の色（例えば、赤色）範囲内に第１のスペクトル分布を有する光を出射する。第１のスペクトル分布は、中心波長および特定の半値全幅（ＦＷＨＭ）を有する。第２の発光素子は、第１の色範囲内に第２のスペクトル分布を有する光を出射する。第２のスペクトル分布は、第１のスペクトル分布から間隔をあけて位置している。第３の発光素子は、第１の色範囲内に、第１のスペクトル分布の一部と重なる第３のスペクトル分布を有する光を出射する。また、第３のスペクトル分布は、第２のスペクトル分布から間隔をあけて位置し、第１のスペクトル分布の中心波長と第２のスペクトル分布の中心波長との間に中心波長を有し、第１のスペクトル分布のＦＷＨＭよりも小さい特定のＦＷＨＭを有する。第４の発光素子は、第１の色範囲内に第４のスペクトル分布を有する光を出射する。第４のスペクトル分布は、第２のスペクトル分布の一部と重なり、第３のスペクトル分布から間隔をあけて位置している。また、第４のスペクトル分布は、第２のスペクトル分布の中心波長と第３のスペクトル分布の中心波長との間に中心波長を有し、第２のスペクトル分布のＦＷＨＭよりも小さい特定のＦＷＨＭを有する。
【０００７】
さらに、第１および第３のスペクトル分布は、第１の色範囲内にスペクトル帯域を形成する。同様に、第２および第４のスペクトル分布は、同じ色範囲内に第２のスペクトル帯域を形成する。第３および第４のスペクトル分布の比較的狭く短い裾特性は、上記間隔を増加させ、第１の色範囲内の２つのスペクトル帯域間のクロストークを最小化する。
【０００８】
上記例示的な光源は、第５の発光素子と、第６の発光素子と、第７の発光素子と、第８の発光素子とをさらに備えていてもよい。第５の発光素子は、第２の色（例えば、緑色）範囲内に第５のスペクトル分布を有する光を出射する。第５のスペクトル分布は、中心波長および特定の半値全幅（ＦＷＨＭ）を有する。第６の発光素子は、第２の色範囲内に第６のスペクトル分布を有する光を出射する。第６のスペクトル分布は、第５のスペクトル分布から間隔をあけて位置している。第７の発光素子は、第２の色範囲内に第７のスペクトル分布を有する光を出射する。第７のスペクトル分布は、第５のスペクトル分布の一部と重なり、第６のスペクトル分布から間隔をあけて位置している。また、第７のスペクトル分布は、第５のスペクトル分布の中心波長と第６のスペクトル分布の中心波長との間に中心波長を有し、第５のスペクトル分布のＦＷＨＭよりも小さい特定のＦＷＨＭを有する。第８の発光素子は、第２の色範囲内に第８のスペクトル分布を有する光を出射する。第８のスペクトル分布は、第６のスペクトル分布の一部と重なり、第７のスペクトル分布から間隔をあけて位置している。また、第８のスペクトル分布は、第６のスペクトル分布の中心波長と第７のスペクトル分布の中心波長との間に中心波長を有し、第６のスペクトル分布のＦＷＨＭよりも小さい特定のＦＷＨＭを有する。
【０００９】
さらに、第５および第７のスペクトル分布は、第２の色範囲内にスペクトル帯域を形成する。同様に、第６および第８のスペクトル分布は、同じ色範囲内に第２のスペクトル帯域を形成する。第７および第８のスペクトル分布の比較的狭く短い裾特性は、上記間隔を増加させ、第２の色範囲内の２つのスペクトル帯域間のクロストークを最小化する。
【００１０】
上記の例示的な光源は、第９の発光素子と、第１０の発光素子と、第１１の発光素子と、第１２の発光素子とをさらに備えていてもよい。第９の発光素子は、第３の色（例えば、青色）範囲内に第９のスペクトル分布を有する光を出射する。第９のスペクトル分布は、中心波長および特定の半値全幅（ＦＷＨＭ）を有する。第１０の発光素子は、第３の色範囲内に第１０のスペクトル分布を有する光を出射する。第１０のスペクトル分布は、第９のスペクトル分布から間隔をあけて位置している。第１１の発光素子は、第３の色範囲内に第１１のスペクトル分布を有する光を出射する。第１１のスペクトル分布は、第９のスペクトル分布の一部と重なり、第１０のスペクトル分布から間隔をあけて位置している。また、第１１のスペクトル分布は、第９のスペクトル分布の中心波長と第１０のスペクトル分布の中心波長との間に中心波長を有し、第９のスペクトル分布のＦＷＨＭよりも小さい特定のＦＷＨＭを有する。第１２の発光素子は、第３の色範囲内に第１２のスペクトル分布を有する光を出射する。第１２のスペクトル分布は、第１０のスペクトル分布の一部と重なり、第１１のスペクトル分布から間隔をあけて位置している。また、第１２のスペクトル分布は、第１０のスペクトル分布の中心波長と第１１のスペクトル分布の中心波長との間に中心波長を有し、第１０のスペクトル分布のＦＷＨＭよりも小さい特定のＦＷＨＭを有する。
【００１１】
さらに、第９および第１１のスペクトル分布は、第３の色範囲内にスペクトル帯域を形成する。同様に、第１０および第１２のスペクトル分布は、同じ色範囲内に第２のスペクトル帯域を形成する。第１１および第１２のスペクトル分布の比較的狭く短い裾特性は、上記間隔を増加させ、第３の色範囲内の２つのスペクトル帯域間のクロストークを最小化する。
【００１２】
ある特定の例示的な光源において、第１のスペクトル分布のＦＷＨＭは、４ナノメートル以上であり、第３のスペクトル分布のＦＷＨＭは、２ナノメートル以下である。
【００１３】
また、ある例示的な光源は、以下に説明するように、第１の発光素子と、第２の発光素子と、第３の発光素子と、第４の発光素子とを備える。第１の発光素子は、第１の色（例えば、赤色）範囲内に第１のスペクトル分布を有する光を出射する。第１のスペクトル分布は、ピークおよび裾を有する。第２の発光素子は、第１の色範囲内に第２のスペクトル分布を有する光を出射する。第２のスペクトル分布は、第１のスペクトル分布から間隔をあけて位置し、ピークおよび裾を有する。第３の発光素子は、第１の色範囲内に第３のスペクトル分布を有する光を出射する。第３のスペクトル分布は、第１のスペクトル分布の一部と重なり、第２のスペクトル分布から間隔をあけて位置している。第３のスペクトル分布は、第１のスペクトル分布のピークと第２のスペクトル分布のピークとの間にピークを有し、第１のスペクトル分布の裾よりも急峻に下降する裾を有する。第４の発光素子は、第１の色範囲内に第４のスペクトル分布を有する光を出射する。第４のスペクトル分布は、第２のスペクトル分布の一部と重なり、第３のスペクトル分布から間隔をあけて位置している。また、第４のスペクトル分布は、第２のスペクトル分布のピークと第３のスペクトル分布のピークとの間にピークを有し、第２のスペクトル分布の裾よりも急峻に下降する裾を有する。
【００１４】
上記例示的な光源は、第５の発光素子と、第６の発光素子と、第７の発光素子と、第８の発光素子とをさらに備えてもよい。第５の発光素子は、第２の色（例えば、緑色）範囲内に第５のスペクトル分布を有する光を出射する。第５のスペクトル分布は、ピークおよび裾を有する。第６の発光素子は、第２の色範囲内に第６のスペクトル分布を有する光を出射する。第６のスペクトル分布は、第５のスペクトル分布から間隔をあけて位置し、ピークおよび裾を有する。第７の発光素子は、第２の色範囲内に第７のスペクトル分布を有する光を出射する。第７のスペクトル分布は、第５のスペクトル分布の一部と重なり、第６のスペクトル分布から間隔をあけて位置している。また、第７のスペクトル分布は、第５のスペクトル分布のピークと第６のスペクトル分布のピークとの間にピークを有し、第５のスペクトル分布の裾よりも急峻に下降する裾を有する。第８の発光素子は、第２の色範囲内に第８のスペクトル分布を有する光を出射する。第８のスペクトル分布は、第６のスペクトル分布の一部と重なり、第７のスペクトル分布から間隔をあけて位置している。また、第８のスペクトル分布は、第６のスペクトル分布のピークと第７のスペクトル分布のピークとの間にピークを有し、第６のスペクトル分布の裾よりも急峻に下降する裾を有する。
【００１５】
上記例示的な光源は、第９の発光素子と、第１０の発光素子と、第１１の発光素子と、第１２の発光素子とをさらに備えてもよい。第９の発光素子は、第３の色（例えば、青色）範囲内に第９のスペクトル分布を有する光を出射する。第９のスペクトル分布は、ピークおよび裾を有する。第１０の発光素子は、第３の色範囲内に第１０のスペクトル分布を有する光を出射する。第１０のスペクトル分布は、第９のスペクトル分布から間隔をあけて位置し、またピークおよび裾を有する。第１１の発光素子は、第３の色範囲内に第１１のスペクトル分布を有する光を出射する。第１１のスペクトル分布は、第９のスペクトル分布の一部と重なり、第１０のスペクトル分布から間隔をあけて位置している。第１１のスペクトル分布は、第９のスペクトル分布のピークと第１０のスペクトル分布のピークとの間にピークを有し、第９のスペクトル分布の裾よりも急峻に下降する裾を有する。第１２の発光素子は、第３の色範囲内に第１２のスペクトル分布を有する光を出射する。第１２のスペクトル分布は、第１０のスペクトル分布の一部と重なり、第１１のスペクトル分布から間隔をあけて位置している。また、第１２のスペクトル分布は、第１０のスペクトル分布のピークと第１１のスペクトル分布のピークとの間にピークを有し、第１０のスペクトル分布の裾よりも急峻に下降する裾を有する。
【００１６】
また、３Ｄ表示システムのための例示的な光源は、以下のように説明される。当該光源は、第１の複数の発光素子と、第２の複数の発光素子とを備える。第１の複数の発光素子の発光素子は、第１の色（例えば、赤色、緑色、または青色）範囲内に第１のスペクトル帯域を形成する、重なり合うスペクトル分布を有する。第１の複数の発光素子のうちの１つは、第１のスペクトル帯域の縁（ｅｄｇｅ）を形成し、かつ２ナノメートル以下の半値全幅（ＦＷＨＭ）をもつスペクトル分布を有する。第２の複数の発光素子の発光素子は、重なり合うスペクトル分布を有する。その重なり合うスペクトル分布は、第１の色範囲内に第２のスペクトル帯域を形成するが、第１のスペクトル帯域から間隔をあけて位置している。第２の複数の発光素子のうちの１つは、第２のスペクトル帯域の縁を形成し、かつ２ナノメートル以下の半値全幅をもつスペクトル分布を有する。第１のスペクトル帯域の縁は、第１のスペクトル帯域の第２のスペクトル帯域に近い方の側にあり、かつ第２のスペクトル帯域の縁は、第２のスペクトル帯域の第１のスペクトル帯域に近い方の側にある。第１の複数の発光素子のうちの少なくとも１つの他の発光素子は、４ナノメートル以上のＦＷＨＭを有するスペクトル分布を有してもよい。
【００１７】
また、３Ｄ表示システムのための光源を製造するための例示的な方法が開示される。当該方法は、第１の発光素子を用意する工程と、第２の発光素子を用意する工程と、第３の発光素子を用意する工程とを含む。第１の発光素子は、第１の色（例えば、赤色）範囲内に第１のスペクトル分布を有する光を出射する。第１のスペクトル分布は、中心波長および特定の半値全幅（ＦＷＨＭ）を有する。第２の発光素子は、第１の色範囲内に第２のスペクトル分布を有する光を出射する。第２のスペクトル分布は、第１のスペクトル分布から間隔をあけて位置している。第３の発光素子は、第１の色範囲内に第３のスペクトル分布を有する光を出射する。第３のスペクトル分布は、第１のスペクトル分布の一部と重なり、かつ第２のスペクトル分布から間隔をあけて位置している。また、第３のスペクトル分布は、第１のスペクトル分布の中心波長と第２のスペクトル分布の中心波長との間に中心波長を有し、かつ第１のスペクトル分布のＦＷＨＭよりも小さい特定のＦＷＨＭを有する。例示的な方法は、第１の発光素子と、第２の発光素子と、第３の発光素子とを備えるように光源を組み立てる工程をさらに含む。
【００１８】
上記方法は、第１の色範囲内に第４のスペクトル分布を有する光を出射するように動作する第４の発光素子を用意する工程をさらに含んでいてもよい。第４のスペクトル分布は、第２のスペクトル分布の一部と重なり、かつ第３のスペクトル分布から間隔をあけて位置している。また、第４のスペクトル分布は、第２のスペクトル分布の中心波長と第３のスペクトル分布の中心波長との間に中心波長を有し、かつ第２のスペクトル分布のＦＷＨＭよりも小さい特定のＦＷＨＭを有する。光源を組み立てる工程は、第４の発光素子を備えるように光源を組み立てる工程を含む。
【００１９】
上記例示的な方法は、第５の発光素子を用意する工程と、第６の発光素子を用意する工程と、第７の発光素子を用意する工程と、第８の発光素子を用意する工程とをさらに含んでいてもよい。第５の発光素子は、第２の色（例えば、緑色）範囲内に第５のスペクトル分布を有する光を出射する。第５のスペクトル分布は、中心波長および特定の半値全幅（ＦＷＨＭ）を有する。第６の発光素子は、第２の色範囲内に第６のスペクトル分布を有する光を出射する。第６のスペクトル分布は、第５のスペクトル分布から間隔をあけて位置している。第７の発光素子は、第２の色範囲内に第７のスペクトル分布を有する光を出射する。第７のスペクトル分布は、第５のスペクトル分布の一部と重なり、かつ第６のスペクトル分布から間隔をあけて位置している。また、第７のスペクトル分布は、第５のスペクトル分布の中心波長と第６のスペクトル分布の中心波長との間に中心波長を有し、かつ第５のスペクトル分布のＦＷＨＭよりも小さい特定のＦＷＨＭを有する。第８の発光素子は、第２の色範囲内に第８のスペクトル分布を有する光を出射する。第８のスペクトル分布は、第６のスペクトル分布の一部と重なり、かつ第７のスペクトル分布から間隔をあけて位置している。また、第８のスペクトル分布は、第６のスペクトル分布の中心波長と第７のスペクトル分布の中心波長との間に中心波長を有し、かつ第６のスペクトル分布のＦＷＨＭよりも小さい特定のＦＷＨＭを有する。光源を組み立てる工程は、第５の発光素子と、第６の発光素子と、第７の発光素子と、第８の発光素子とを備えるように光源を組み立てる工程を含む。
【００２０】
上記例示的な方法は、第９の発光素子を用意する工程と、第１０の発光素子を用意する工程と、第１１の発光素子を用意する工程と、第１２の発光素子を用意する工程とをさらに含んでいてもよい。第９の発光素子は、第３の色（例えば、青色）範囲内に第９のスペクトル分布を有する光を出射する。第９のスペクトル分布は、中心波長および特定の半値全幅（ＦＷＨＭ）を有する。第１０の発光素子は、第３の色範囲内に第１０のスペクトル分布を有する光を出射する。第１０のスペクトル分布は、第９のスペクトル分布から間隔をあけて位置している。第１１の発光素子は、第３の色範囲内に第１１のスペクトル分布を有する光を出射する。第１１のスペクトル分布は、第９のスペクトル分布の一部と重なり、かつ第１０のスペクトル分布から間隔をあけて位置している。また、第１１のスペクトル分布は、第９のスペクトル分布の中心波長と第１０のスペクトル分布の中心波長との間に中心波長を有し、かつ第９のスペクトル分布のＦＷＨＭよりも小さい特定のＦＷＨＭを有する。第１２の発光素子は、第３の色範囲内に第１２のスペクトル分布を有する光を出射する。第１２のスペクトル分布は、第１０のスペクトル分布の一部と重なり、かつ第１１のスペクトル分布から間隔をあけて位置している。また、第１２のスペクトル分布は、第１０のスペクトル分布の中心波長と第１１のスペクトル分布の中心波長との間に中心波長を有し、かつ第１０のスペクトル分布のＦＷＨＭよりも小さい特定のＦＷＨＭを有する。光源を組み立てる工程は、第９の発光素子と、第１０の発光素子と、第１１の発光素子と、第１２の発光素子とを備えるように光源を組み立てる工程を含む。
【００２１】
上記光源を組み立てる工程は、第１の発光素子、第３の発光素子、第５の発光素子、第７の発光素子、第９の発光素子および第１１の発光素子を組み合わせて、光を第１のプロジェクタに与えるように構成されたモジュールを構成する工程と、第２の発光素子、第４の発光素子、第６の発光素子、第８の発光素子、第１０の発光素子および第１２の発光素子を組み合わせて、光を第２のプロジェクタに与えるように構成されたモジュールを構成する工程とを含んでいてもよい。
【図面の簡単な説明】
【００２２】
図面の簡単な説明
本発明を、以下の図面を参照して説明する。図面において、同様な参照符号は、実質的に同様な要素を示す。
【００２３】
【図１】図１は、本発明による例示の３Ｄプロジェクタシステムのブロック図である。
【図２】図２は、図１の発光素子のスペクトル分布を示す強度対波長のグラフである。
【図３】図３は、図１の緑色発光素子のスペクトル分布を示す強度対波長のグラフである。
【図４】図４は、本発明の別の実施形態による緑色発光素子のスペクトル分布を示す強度対波長のグラフである。
【図５】図５は、本発明のさらに別の実施形態による緑色発光素子のスペクトル分布を示す強度対波長のグラフである。
【図６Ａ】図６Ａは、本発明による３Ｄ表示システムのための光源を製造する方法の概略を示すフローチャートの第１の部分である。
【図６Ｂ】図６Ｂは、本発明による３Ｄ表示システムのための光源を製造する方法の概略を示すフローチャートの第２の部分である。
【発明を実施するための形態】
【００２４】
詳細な説明
本発明は、複数の狭帯域発光素子を含み、色クロストークの影響を低減する３Ｄ６Ｐ表示システムを提供することにより、従来技術に関する課題を解決する。以下の説明において、本発明の完全な理解が得られるように、多数の詳細事項を説明する（例えば、波長、色範囲、発光素子強度など）。しかし、当業者は、本発明がこれらの詳細事項から離れても実施され得ることを認識するであろう。他の例において、周知の映像および画像処理手法および構成素子の詳細は、本発明を不必要に不明瞭にしないように省略している。
【００２５】
図１は、クロストーク性能が改善された３Ｄ画像表示可能な例示の３Ｄ表示システム１００のブロック図を示す。この例示の実施形態において、表示システム１００は、３Ｄ画像および映像をビューイング面１０２（例えば、シアタースクリーン）上に投影する６Ｐレーザプロジェクタである。３Ｄ画像は、左眼用画像１０４および右眼用画像１０６をビューイング面１０２上に投影することによって生成される。観察者は、特殊なアイウェア１０８を装着する。アイウェア１０８は、左眼用画像１０４が観察者の左眼だけによって見られるようにし、右眼用画像１０６が観察者の右眼だけによって見られるようにする。言い換えると、アイウェア１０８の左レンズ１１０および右レンズ１１２は、それぞれ右眼用画像１０６および左眼用画像１０４を通さない。
【００２６】
３Ｄ表示システム１００は、複数の左眼用発光素子１１４と、左眼用画像プロジェクタ１１６と、複数の右眼用発光素子１１８と、右眼用画像プロジェクタ１２０とを備える。発光素子１１４およびプロジェクタ１１６は、共に協働して左眼用画像１０４を生成する。すなわち、発光素子１１４は、画像１０４を生成するために必要な照明をプロジェクタ１１６に与える。同様に、発光素子１１８は、画像１０６を生成するために必要な照明をプロジェクタ１２０に与える。プロジェクタ１１６および１２０は、画像変調および投影機能を実施するために必要な種々の要素（例えば、空間光変調器、投影レンズ、光パイプなど）を代表して表している。プロジェクタ１１６および１２０の具体的な詳細は、本発明の重要な特徴ではないので、詳細には説明されない。
【００２７】
この例示の実施形態において、発光素子１１４および１１８は、原色レーザモジュールであり、それぞれ固有の波長帯域にわたるレーザ光を生成する。発光素子１１４は、広帯域幅青色レーザＢ１と、狭帯域幅青色レーザＢ２、広帯域幅緑色レーザＧ１、狭帯域幅緑色レーザＧ２、広帯域幅赤色レーザＲ１、および狭帯域幅赤色レーザＲ２とを備える。それらのレーザの各々は、アイウェア１０８の右レンズ１１２を介して視認することができない。同様に、発光素子１１８は、広帯域幅青色レーザＢ３、狭帯域幅青色レーザＢ４、広帯域幅緑色レーザＧ３、狭帯域幅緑色レーザＧ４、広帯域幅赤色レーザＲ３、および狭帯域幅赤色レーザＲ４を備える。それらのレーザの各々は、左レンズ１１０を介して視認することができない。
【００２８】
図２は、左眼用発光素子１１４および右眼用発光素子１１８によって生成された青色、緑色および赤色光のスペクトル分布曲線を示す強度対波長のグラフ２００である。（強度は、具体表現として任意単位で示されている。）曲線２０２、２０４、２０６、２０８、２１０、および２１２は、３Ｄ画像を生成するために表示システム１００によって使用される６つの原色帯域をそれぞれ表す。曲線２０２は、左眼用画像１０４の原色青色成分を規定する、Ｂ１およびＢ２レーザの組合せのスペクトル分布を表す。曲線２０４は、右眼用画像１０６の原色青色成分を規定する、Ｂ３およびＢ４レーザの組合せのスペクトル分布を表す。曲線２０６は、左眼用画像１０４の原色緑色成分を規定する、Ｇ１およびＧ２レーザの組合せのスペクトル分布を表す。曲線２０８は、右眼用画像１０６の原色緑色成分を規定する、Ｇ３およびＧ４レーザの組合せのスペクトル分布を表す。曲線２１０は、左眼用画像１０４の原色赤色成分を規定する、Ｒ１およびＲ２レーザの組合せのスペクトル分布を表す。最後に、曲線２１２は、右眼用画像１０６の原色緑色成分を規定する、Ｒ３およびＲ４レーザの組合せスペクトル分布を表す。
【００２９】
説明のため、曲線２０２、２０６および２１０の概形は、互いに同一となるように示している。同様に、曲線２０４、２０８および２１２の概形は、互いに同一となるように示している。しかし、当業者は、実際には、これらの曲線が同一にならないことが多いことを認識するであろう。その理由は、１つには製造上の制限によるものであり、また、レーザの達成可能な強度および波長特性が帯域幅ごとにばらつき、製造者ごとにもばらつくからである。
【００３０】
図３は、緑色範囲内のスペクトル分布曲線２０６および２０８の成分を示す強度対波長のグラフ３００である。この例示の実施形態において、曲線２０６は、Ｇ１およびＧ２レーザのスペクトル分布をそれぞれ表す、重なり合う曲線３０２および３０４の和を表す。同様に、曲線２０８は、Ｇ３およびＧ４レーザのスペクトル分布をそれぞれ表す、重なり合う曲線３０６および３０８の和を表す。
【００３１】
レーザの選択は、いくつかの考慮に基づいて行われ得る。例えば、各レーザは、概略的にガウススペクトル分布を有する。加えて、レーザの帯域幅を増加させると、スペックルの影響が低減されることが分かっている。更に、特定の色について利用可能な可用波長域は、所望の色空間によって制限される。また、同じ色であるが異なる眼に対する２つの異なるレーザは、重なり合うことなく所望の色空間範囲内に収まらなければならない。このことは、各色について利用可能な波長をさらに制限することになり得る。更に、いくつかの波長のレーザは、製造が難しく、用途によっては、いくつかの範囲の波長を完全に避けることが望ましいことがある。
【００３２】
曲線３０２、３０４、３０６および３０８のスペクトル特性および相対配置は、特に上記事項を考慮したとき、本発明の有利な側面を提供する。例えば、曲線３０４および３０６が占める半値全幅（ＦＷＨＭ）での波長帯域は、曲線３０２および３０８よりもはるかに短いことが理解される。幅広の曲線３０２が占めるＦＷＨＭでの波長帯域は、比較的長いので、スペックルを最小化できる。しかし、比較的長いＦＷＨＭを有する幅広いスペクトル曲線は、緩やかなガウシアン裾（Gaussian tail）を原理的に有してしまう。そのような緩やかなガウシアン裾は、同様な色範囲において左眼用スペクトル分布の裾と右眼用スペクトル分布の裾が重なり合う場合にクロストークが生じるので望ましくない。更に、長い裾は、色範囲のすでに制限されている帯域幅のより多くを占めるので、システムに対してさらなる設計上の制約を与える。曲線３０２の長波長側の裾の影響を最小化するために、Ｇ２は、曲線３０２の長波長側の裾と同じ波長範囲内に狭いＦＷＨＭを有している。これは、幅狭の曲線は一般により短く急峻な裾を有するので望ましい。結果として、曲線２０６は、比較的大きい帯域幅を有することでスペックルを低減し、さらに、短い裾を有することでクロストークを低減する。同じ理由から、Ｇ３は、幅広の曲線３０８の長波長側の裾と同じ波長範囲内に狭スペクトル分布の曲線３０６を有する。幅狭の曲線３０４および３０６は、幅広の曲線３０２および３０８のピーク間の緑色帯域に位置しており、これにより、投影画像における左画像の緑色と右画像の緑色との間のクロストークが最小化されることを認識することが重要である。
【００３３】
なお、上記のように、本発明によって提供される青色曲線２０２および２０４ならびに赤色曲線２１０および２１２の有利な特性は、それぞれ、緑色曲線２０６および２０８の特性と実質的に同様である。したがって、曲線２０２、２０４、２１０および２１２の詳細な説明は、冗長を避けるために省略される。
【００３４】
以上をまとめると、狭帯域発光素子を導入することによって提供される本発明によるスペクトルシェイピングは、重要な利点を提供する。すなわち、本発明は、同じ色範囲内のスペクトル帯域間の分離の向上を容易にし、このことにより、表示された左眼用画像および右眼用画像におけるクロストークを低減する。加えて、本発明は、スペックルを低減する幅広な複合スペクトル帯域を提供する。これらの改善は、特に（青色に比べて）クロストークおよびスペックルがより目立ちやすい赤色および緑色の鮮明化に有利である。
【００３５】
図４は、本発明の別の実施形態による短波長側の緑色曲線４０２および長波長側の緑色曲線４０４の成分を示す強度対波長のグラフ４００である。この例示の実施形態において、曲線４０２は、曲線４０６、４０８および４１０によって表される３つの重なり合う狭いＦＷＨＭの緑色レーザの組合せスペクトル分布を表す。同様に、曲線４０４は、曲線４１２、４１４および４１６によって表される３つの狭いＦＷＨＭの長波長側の緑色レーザの全体のスペクトル分布を表す。曲線４０２および４０４のそれぞれは、複数の重なり合う狭いＦＷＨＭの曲線から構成されるので、曲線４０２および４０４は、スペックルを低減する広い帯域幅を有し、さらに、短い裾を有することで曲線４０２および４０４間のクロストークを低減する。
【００３６】
図５は、本発明のさらに別の実施形態による短波長側の緑色曲線５０２および長波長側の緑色曲線５０４の成分を示す強度対波長のグラフ５００である。この例示の実施形態において、曲線５０２は、曲線５０６によって表される狭いＦＷＨＭの緑色レーザ、曲線５０８によって表される幅広のＦＷＨＭの緑色レーザ、および曲線５１０によって表される第２の狭いＦＷＨＭの緑色レーザの全体のスペクトル分布を表す。同様に、曲線５０４は、曲線５１２によって表される狭いＦＷＨＭの緑色レーザ、曲線５１４によって表される幅広のＦＷＨＭの緑色レーザ、および曲線５１６によって表される第２の狭いＦＷＨＭの緑色レーザの全体のスペクトル分布を表す。曲線５０２および５０４のそれぞれは、２つの狭い曲線間に位置する１つの幅広の曲線を含むので、スペックルを低減する広い帯域幅を有し、さらに、短い裾を有することでクロストークを低減する。
【００３７】
図６Ａおよび６Ｂは、３Ｄ表示システムのための光源を製造する方法６００をまとめたフローチャートの一部である。第１のステップ６０２において、第１の色範囲内に幅広の第１のスペクトル分布を有する第１の発光素子が用意される。第２のステップ６０４において、第１の色範囲内にあって、かつ第１の発光素子のスペクトル分布から間隔をあけて位置する第２の幅広のスペクトル分布を有する第２の発光素子が用意される。第３のステップ６０６において、第１のスペクトル分布の一部と重なり、かつ第１のスペクトル分布と第２のスペクトル分布との間に位置する、幅狭の第３のスペクトル分布を有する第３の発光素子が用意される。第４のステップ６０８において、第２のスペクトル分布の一部と重なり、かつ第１のスペクトル分布と第２のスペクトル分布との間に位置し、かつ第３のスペクトル分布から間隔をあけて位置する、幅狭の第４のスペクトル分布を有する第４の発光素子が用意される。
【００３８】
第５のステップ６１０において、第２の色範囲内に幅広の第５のスペクトル分布を有する第５の発光素子が用意される。第６のステップ６１２において、第２の色範囲内にあって、かつ第５の発光素子のスペクトル分布から間隔をあけて位置する第６の幅広のスペクトル分布を有する第６の発光素子が用意される。第７のステップ６１４において、第５のスペクトル分布の一部と重なり、かつ第５のスペクトル分布と第６のスペクトル分布との間に位置する、幅狭の第７のスペクトル分布を有する第７の発光素子が用意される。第８のステップ６１６（図６Ｂ）において、第６のスペクトル分布の一部と重なり、かつ第５のスペクトル分布と第６のスペクトル分布との間に位置し、かつ第７のスペクトル分布から間隔をあけて位置する、幅狭の第８のスペクトル分布を有する第８の発光素子が用意される。
【００３９】
第９のステップ６１８において、第３の色範囲内に幅広の第９のスペクトル分布を有する第９の発光素子が用意される。第１０のステップ６２０において、第３の色範囲内にあって、かつ第９の発光素子のスペクトル分布から間隔をあけて位置する第１０の幅広いスペクトル分布を有する第１０の発光素子が用意される。第１１のステップ６２２において、第９のスペクトル分布の一部と重なり、かつ第９のスペクトル分布と第１０のスペクトル分布との間に位置する、幅狭の第１１のスペクトル分布を有する第１１の発光素子が用意される。第１２のステップ６２４において、第１０のスペクトル分布の一部と重なり、かつ第９のスペクトル分布と第１０のスペクトル分布との間に位置し、かつ第１１のスペクトル分布から間隔をあけて位置する、幅狭の第１２のスペクトル分布を有する第１２の発光素子が用意される。
【００４０】
第１３のステップ６２６において、第１の発光素子、第３の発光素子、第５の発光素子、第７の発光素子、第９の発光素子、および第１１の発光素子が組み合わされて、第１のプロジェクタに光を与えるように構成されたモジュールが構成される。加えて、第１４のステップ６２８において、第２の発光素子、第４の発光素子、第６の発光素子、第８の発光素子、第１０の発光素子、および第１２の発光素子が組み合わされて、第２のプロジェクタに光を与えるように構成されたモジュールが構成される。
【００４１】
本発明の特定の実施形態の説明は以上である。上記特徴の多くは、本発明の範囲を逸脱することなく代替、変更または省略され得る。例えば、別の帯域幅のレーザ（または、他の狭帯域光源）を、上記特定のレーザの代わりに用いてもよい。上記の特定の実施形態からのこれらの変更および他の変更は、特に前述の開示から当業者にとって明らかであろう。
【図１】
2019537742.tif 000003
【図２】
2019537742.tif 000004
【図３】
2019537742.tif 000005
【図４】
2019537742.tif 000006
【図５】
2019537742.tif 000007
【図６Ａ】
2019537742.tif 000008
【図６Ｂ】
2019537742.tif 000009
【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
３Ｄ表示システムのための光源であって、
第１の色範囲内に第１のスペクトル分布を有する光を出射するように動作する第１の発光素子であって、前記第１のスペクトル分布は、中心波長および特定の半値全幅（ＦＷＨＭ）を有する、第１の発光素子と、
前記第１の色範囲内に第２のスペクトル分布を有する光を出射するように動作する第２の発光素子であって、前記第２のスペクトル分布は、前記第１のスペクトル分布から間隔をあけて位置している、第２の発光素子と、
前記第１の色範囲内に第３のスペクトル分布を有する光を出射するように動作する第３の発光素子であって、前記第３のスペクトル分布は、前記第１のスペクトル分布の一部と重なり、前記第２のスペクトル分布から間隔をあけて位置し、前記第１のスペクトル分布の前記中心波長と前記第２のスペクトル分布の前記中心波長との間に中心波長を有し、前記第１のスペクトル分布の前記ＦＷＨＭよりも小さい特定のＦＷＨＭを有する、第３の発光素子と、
前記第１の色範囲内に第４のスペクトル分布を有する光を出射するように動作する第４の発光素子であって、前記第４のスペクトル分布は、前記第２のスペクトル分布の一部と重なり、前記第３のスペクトル分布から間隔をあけて位置し、前記第２のスペクトル分布の前記中心波長と前記第３のスペクトル分布の前記中心波長との間に中心波長を有し、前記第２のスペクトル分布のＦＷＨＭよりも小さい特定のＦＷＨＭを有する、第４の発光素子と、
を備え、
前記第１のスペクトル分布のＦＷＨＭは、４ナノメートル以上であり、
前記第３のスペクトル分布のＦＷＨＭは、２ナノメートル以下である、
光源。
【請求項２】
前記第１の色範囲は、可視スペクトルの赤色部分内にある、請求項１に記載の光源。
【請求項３】
前記第１の色範囲は、可視スペクトルの緑色部分内にある、請求項１に記載の光源。
【請求項４】
第２の色範囲内に第５のスペクトル分布を有する光を出射するように動作する第５の発光素子であって、前記第５のスペクトル分布は、中心波長および特定の半値全幅（ＦＷＨＭ）を有する、第５の発光素子と、
前記第２の色範囲内に第６のスペクトル分布を有する光を出射するように動作する第６の発光素子であって、前記第６のスペクトル分布は、前記第５のスペクトル分布から間隔をあけて位置している、第６の発光素子と、
前記第２の色範囲内に第７のスペクトル分布を有する光を出射するように動作する第７の発光素子であって、前記第７のスペクトル分布は、前記第５のスペクトル分布の一部と重なり、前記第６のスペクトル分布から間隔をあけて位置し、前記第５のスペクトル分布の前記中心波長と前記第６のスペクトル分布の前記中心波長との間に中心波長を有し、前記第５のスペクトル分布の前記ＦＷＨＭよりも小さい特定のＦＷＨＭを有する、第７の発光素子と、
をさらに備える、請求項１から３のいずれかに記載の光源。
【請求項５】
前記第２の色範囲内に第８のスペクトル分布を有する光を出射するように動作する第８の発光素子であって、前記第８のスペクトル分布は、前記第６のスペクトル分布の一部と重なり、前記第７のスペクトル分布から間隔をあけて位置し、前記第６のスペクトル分布の前記中心波長と前記第７のスペクトル分布の前記中心波長との間に中心波長を有し、前記第６のスペクトル分布のＦＷＨＭよりも小さい特定のＦＷＨＭを有する、第８の発光素子
をさらに備える、請求項４に記載の光源。
【請求項６】
前記第１の色範囲は、可視スペクトルの赤色部分内にあり、
前記第２の色範囲は、可視スペクトルの緑色部分内にある、
請求項４に記載の光源。
【請求項７】
第３の色範囲内に第９のスペクトル分布を有する光を出射するように動作する第９の発光素子であって、前記第９のスペクトル分布は、中心波長および特定の半値全幅（ＦＷＨＭ）を有する、第９の発光素子と、
前記第３の色範囲内に第１０のスペクトル分布を有する光を出射するように動作する第１０の発光素子であって、前記第１０のスペクトル分布は、前記第９のスペクトル分布から間隔をあけて位置している、第１０の発光素子と、
前記第３の色範囲内に第１１のスペクトル分布を有する光を出射するように動作する第１１の発光素子であって、前記第１１のスペクトル分布は、前記第９のスペクトル分布の一部と重なり、前記第１０のスペクトル分布から間隔をあけて位置し、前記第９のスペクトル分布の前記中心波長と前記第１０のスペクトル分布の前記中心波長との間に中心波長を有し、前記第９のスペクトル分布の前記ＦＷＨＭよりも小さい特定のＦＷＨＭを有する、第１１の発光素子と、
をさらに備える、請求項５に記載の光源。
【請求項８】
前記第３の色範囲内に第１２のスペクトル分布を有する光を出射するように動作する第１２の発光素子であって、前記第１２のスペクトル分布は、前記第１０のスペクトル分布の一部と重なり、前記第１１のスペクトル分布から間隔をあけて位置し、前記第１０のスペクトル分布の前記中心波長と前記第１１のスペクトル分布の前記中心波長との間に中心波長を有し、前記第１０のスペクトル分布のＦＷＨＭよりも小さい特定のＦＷＨＭを有する、第１２の発光素子
をさらに備える、請求項７に記載の光源。
【請求項９】
前記第１の色範囲は、可視スペクトルの赤色部分内にあり、
前記第２の色範囲は、可視スペクトルの緑色部分内にあり、
前記第３の色範囲は、可視スペクトルの青色部分内にある、
請求項８に記載の光源。
【請求項１０】
前記第２のスペクトル分布のＦＷＨＭは、４ナノメートル以上であり、
前記第４のスペクトル分布のＦＷＨＭは、２ナノメートル以下である、
請求項１から９のいずれかに記載の光源。
【請求項１１】
３Ｄ表示システムのための光源であって、前記光源は、
第１の色範囲内に第１のスペクトル分布を有する光を出射するように動作する第１の発光素子であって、前記第１のスペクトル分布は、ピークおよび裾を有する、第１の発光素子と、
前記第１の色範囲内に第２のスペクトル分布を有する光を出射するように動作する第２の発光素子であって、前記第２のスペクトル分布は、前記第１のスペクトル分布から間隔をあけて位置し、ピークおよび裾を有する、第２の発光素子と、
前記第１の色範囲内に第３のスペクトル分布を有する光を出射するように動作する第３の発光素子であって、前記第３のスペクトル分布は、前記第１のスペクトル分布の一部と重なり、前記第２のスペクトル分布から間隔をあけて位置し、前記第１のスペクトル分布の前記ピークと前記第２のスペクトル分布の前記ピークとの間にピークを有し、前記第１のスペクトル分布の前記裾よりも急峻に下降する裾を有する、第３の発光素子と、
前記第１の色範囲内に第４のスペクトル分布を有する光を出射するように動作する第４の発光素子であって、前記第４のスペクトル分布は、前記第２のスペクトル分布の一部と重なり、前記第３のスペクトル分布から間隔をあけて位置し、前記第２のスペクトル分布の前記ピークと前記第３のスペクトル分布の前記ピークとの間にピークを有し、前記第２のスペクトル分布の前記裾よりも急峻に下降する裾を有する、第４の発光素子と、
を備え、
第１のスペクトル分布のＦＷＨＭは、４ナノメートル以上であり、
第３のスペクトル分布のＦＷＨＭは、２ナノメートル以下である、
光源。
【請求項１２】
前記第１の色範囲は、可視スペクトルの赤色部分内にある、請求項１１に記載の光源。
【請求項１３】
前記第１の色範囲は、可視スペクトルの緑色部分内にある、請求項１１に記載の光源。
【請求項１４】
第２の色範囲内に第５のスペクトル分布を有する光を出射するように動作する第５の発光素子であって、前記第５のスペクトル分布は、ピークおよび裾を有する、第５の発光素子と、
前記第２の色範囲内に第６のスペクトル分布を有する光を出射するように動作する第６の発光素子であって、前記第６のスペクトル分布は、前記第５のスペクトル分布から間隔をあけて位置し、ピークおよび裾を有する、第６の発光素子と、
前記第２の色範囲内に第７のスペクトル分布を有する光を出射するように動作する第７の発光素子であって、前記第７のスペクトル分布は、前記第５のスペクトル分布の一部と重なり、前記第６のスペクトル分布から間隔をあけて位置し、前記第５のスペクトル分布の前記ピークと前記第６のスペクトル分布の前記ピークとの間にピークを有し、前記第５のスペクトル分布の前記裾よりも急峻に下降する裾を有する、第７の発光素子と、
をさらに備える、請求項１１から１３のいずれかに記載の光源。
【請求項１５】
前記第２の色範囲内に第８のスペクトル分布を有する光を出射するように動作する第８の発光素子であって、前記第８のスペクトル分布は、前記第６のスペクトル分布の一部と重なり、前記第７のスペクトル分布から間隔をあけて位置し、前記第６のスペクトル分布の前記ピークと前記第７のスペクトル分布の前記ピークとの間にピークを有し、前記第６のスペクトル分布の前記裾よりも急峻に下降する裾を有する、第８の発光素子
をさらに備える、請求項１４に記載の光源。
【請求項１６】
前記第１の色範囲は、可視スペクトルの赤色部分内にあり、
前記第２の色範囲は、可視スペクトルの緑色部分内にある、
請求項１４に記載の光源。
【請求項１７】
第３の色範囲内に第９のスペクトル分布を有する光を出射するように動作する第９の発光素子であって、前記第９のスペクトル分布は、ピークおよび裾を有する、第９の発光素子と、
前記第３の色範囲内に第１０のスペクトル分布を有する光を出射するように動作する第１０の発光素子であって、前記第１０のスペクトル分布は、前記第９のスペクトル分布から間隔をあけて位置し、ピークおよび裾を有する、第１０の発光素子と、
前記第３の色範囲内に第１１のスペクトル分布を有する光を出射するように動作する第１１の発光素子であって、前記第１１のスペクトル分布は、前記第９のスペクトル分布の一部と重なり、前記第１０のスペクトル分布から間隔をあけて位置し、前記第９のスペクトル分布の前記ピークと前記第１０のスペクトル分布の前記ピークとの間にピークを有し、前記第９のスペクトル分布の前記裾よりも急峻に下降する裾を有する、第１１の発光素子と、
をさらに備える、請求項１５に記載の光源。
【請求項１８】
前記第３の色範囲内に第１２のスペクトル分布を有する光を出射するように動作する第１２の発光素子であって、前記第１２のスペクトル分布は、前記第１０のスペクトル分布の一部と重なり、前記第１１のスペクトル分布から間隔をあけて位置し、前記第１０のスペクトル分布の前記ピークと前記第１１のスペクトル分布の前記ピークとの間にピークを有し、前記第１０のスペクトル分布の前記裾よりも急峻に下降する裾を有する、第１２の発光素子
をさらに備える、請求項１７に記載の光源。
【請求項１９】
前記第１の色範囲は、可視スペクトルの赤色部分内にあり、
前記第２の色範囲は、可視スペクトルの緑色部分内にあり、
前記第３の色範囲は、可視スペクトルの青色部分内にある、
請求項１８に記載の光源。
【請求項２０】
第２のスペクトル分布のＦＷＨＭは、４ナノメートル以上であり、
第４のスペクトル分布のＦＷＨＭは、２ナノメートル以下である、
請求項１１から１９のいずれかに記載の光源。
【請求項２１】
３Ｄ表示システムのための光源であって、
第１の色範囲内に第１のスペクトル帯域を形成する、重なり合うスペクトル分布を有する第１の複数の発光素子であって、前記第１の複数の発光素子の前記発光素子のうちの１つは、前記第１のスペクトル帯域の縁を形成し、かつ２ナノメートル以下の半値全幅（ＦＷＨＭ）をもつスペクトル分布を有する、第１の複数の発光素子と、
前記第１の色範囲内にあるが、前記第１のスペクトル帯域から間隔をあけて位置する第２のスペクトル帯域を形成する、重なり合うスペクトル分布を有する第２の複数の発光素子であって、前記第２の複数の発光素子の前記発光素子のうちの１つは、前記第２のスペクトル帯域の縁を形成し、かつ２ナノメートル以下の半値全幅（ＦＷＨＭ）をもつスペクトル分布を有する、第２の複数の発光素子と、
を備え、
前記第１のスペクトル帯域の前記縁は、前記第１のスペクトル帯域の前記第２のスペクトル帯域に近い方の側にあり、
前記第２のスペクトル帯域の前記縁は、前記第２のスペクトル帯域の前記第１のスペクトル帯域に近い方の側にあり、
前記第１の複数の発光素子のうちの少なくとも１つの他の発光素子は、４ナノメートル以上のＦＷＨＭをもつスペクトル分布を有する、
光源。
【請求項２２】
前記第１の色範囲は、可視スペクトルの赤色部分内にある、
請求項２１に記載の光源。
【請求項２３】
前記第２の複数の発光素子のうちの少なくとも１つの他の発光素子は、４ナノメートル以上のＦＷＨＭをもつスペクトル分布を有する、
請求項２１または２２に記載の光源。
【請求項２４】
３Ｄ表示システムのための光源を製造する方法であって、前記方法は、
第１の色範囲内に第１のスペクトル分布を有する光を出射するように動作する第１の発光素子を用意する工程であって、前記第１のスペクトル分布は、中心波長および特定の半値全幅（ＦＷＨＭ）を有する、工程と、
前記第１の色範囲内に第２のスペクトル分布を有する光を出射するように動作する第２の発光素子を用意する工程であって、前記第２のスペクトル分布は、前記第１のスペクトル分布から間隔をあけて位置している、工程と、
前記第１の色範囲内に第３のスペクトル分布を有する光を出射するように動作する第３の発光素子を用意する工程であって、前記第３のスペクトル分布は、前記第１のスペクトル分布の一部と重なり、前記第２のスペクトル分布から間隔をあけて位置し、前記第１のスペクトル分布の前記中心波長と前記第２のスペクトル分布の前記中心波長との間に中心波長を有し、前記第１のスペクトル分布の前記ＦＷＨＭよりも小さい特定のＦＷＨＭを有する、工程と、
前記第１の色範囲内に第４のスペクトル分布を有する光を出射するように動作する第４の発光素子を用意する工程であって、前記第４のスペクトル分布は、前記第２のスペクトル分布の一部と重なり、前記第３のスペクトル分布から間隔をあけて位置し、前記第２のスペクトル分布の前記中心波長と前記第３のスペクトル分布の前記中心波長との間に中心波長を有し、前記第２のスペクトル分布のＦＷＨＭよりも小さい特定のＦＷＨＭを有する、工程と、
前記第１の発光素子と、前記第２の発光素子と、前記第３の発光素子とを備えるように前記光源を組み立てる工程と、
を含み、
前記第１のスペクトル分布のＦＷＨＭは、４ナノメートル以上であり、
前記第３のスペクトル分布のＦＷＨＭは、２ナノメートル以下である、
方法。
【請求項２５】
前記光源を組み立てる工程は、
前記第１の発光素子および前記第３の発光素子を組み合わせて、第１のプロジェクタに光を与えるように構成されたモジュールを構成する工程と、
前記第２の発光素子および前記第４の発光素子を組み合わせて、第２のプロジェクタに光を与えるように構成されたモジュールを構成する工程と、
を含む、
請求項２４に記載の方法。
【請求項２６】
前記方法は、
第２の色範囲内に第５のスペクトル分布を有する光を出射するように動作する第５の発光素子を用意する工程であって、前記第５のスペクトル分布は、中心波長および特定の半値全幅（ＦＷＨＭ）を有する、工程と、
前記第２の色範囲内に第６のスペクトル分布を有する光を出射するように動作する第６の発光素子を用意する工程であって、前記第６のスペクトル分布は、前記第５のスペクトル分布から間隔をあけて位置している、工程と、
前記第２の色範囲内に第７のスペクトル分布を有する光を出射するように動作する第７の発光素子を用意する工程であって、前記第７のスペクトル分布は、前記第５のスペクトル分布の一部と重なり、前記第６のスペクトル分布から間隔をあけて位置し、前記第５のスペクトル分布の前記中心波長と前記第６のスペクトル分布の前記中心波長との間に中心波長を有し、前記第５のスペクトル分布の前記ＦＷＨＭよりも小さい特定のＦＷＨＭを有する、工程と、
前記第２の色範囲内に第８のスペクトル分布を有する光を出射するように動作する第８の発光素子を用意する工程であって、前記第８のスペクトル分布は、前記第６のスペクトル分布の一部と重なり、前記第７のスペクトル分布から間隔をあけて位置し、前記第６のスペクトル分布の前記中心波長と前記第７のスペクトル分布の前記中心波長との間に中心波長を有し、前記第６のスペクトル分布のＦＷＨＭよりも小さい特定のＦＷＨＭを有する、工程と、
をさらに含み、
前記光源を組み立てる工程は、前記第５の発光素子と、前記第６の発光素子と、前記第７の発光素子と、前記第８の発光素子とを備えるように前記光源を組み立てる工程を含む、
請求項２４に記載の方法。
【請求項２７】
前記光源を組み立てる工程は、
前記第１の発光素子、前記第３の発光素子、前記第５の発光素子、および前記第７の発光素子を組み合わせて、第１のプロジェクタに光を与えるように構成されたモジュールを構成する工程と、
前記第２の発光素子、前記第４の発光素子、前記第６の発光素子、および前記第８の発光素子を組み合わせて、第２のプロジェクタに光を与えるように構成されたモジュールを構成する工程と、
を含む、
請求項２６に記載の方法。
【請求項２８】
前記第１の色範囲は、可視スペクトルの赤色部分内にあり、
前記第２の色範囲は、可視スペクトルの緑色部分内にある、
請求項２７に記載の方法。
【請求項２９】
前記方法は、
第３の色範囲内に第９のスペクトル分布を有する光を出射するように動作する第９の発光素子を用意する工程であって、前記第９のスペクトル分布は、中心波長および特定の半値全幅（ＦＷＨＭ）を有する、工程と、
前記第３の色範囲内に第１０のスペクトル分布を有する光を出射するように動作する第１０の発光素子を用意する工程であって、前記第１０のスペクトル分布は、前記第９のスペクトル分布から間隔をあけて位置している、工程と、
前記第３の色範囲内に第１１のスペクトル分布を有する光を出射するように動作する第１１の発光素子を用意する工程であって、前記第１１のスペクトル分布は、前記第９のスペクトル分布の一部と重なり、前記第１０のスペクトル分布から間隔をあけて位置し、前記第９のスペクトル分布の前記中心波長と前記第１０のスペクトル分布の前記中心波長との間に中心波長を有し、前記第９のスペクトル分布の前記ＦＷＨＭよりも小さい特定のＦＷＨＭを有する、工程と、
前記第３の色範囲内に第１２のスペクトル分布を有する光を出射するように動作する第１２の発光素子を用意する工程であって、前記第１２のスペクトル分布は、前記第１０のスペクトル分布の一部と重なり、前記第１１のスペクトル分布から間隔をあけて位置し、前記第１０のスペクトル分布の前記中心波長と前記第１１のスペクトル分布の前記中心波長との間に中心波長を有し、前記第１０のスペクトル分布のＦＷＨＭよりも小さい特定のＦＷＨＭを有する、工程と、
をさらに含み、
前記光源を組み立てる工程は、前記第９の発光素子と、前記第１０の発光素子と、前記第１１の発光素子と、前記第１２の発光素子とを備えるように前記光源を組み立てる工程を含む、
請求項２６に記載の方法。
【請求項３０】
前記光源を組み立てる工程は、
前記第１の発光素子、前記第３の発光素子、前記第５の発光素子、前記第７の発光素子、前記第９の発光素子、および前記第１１の発光素子を組み合わせて、第１のプロジェクタに光を与えるように構成されたモジュールを構成する工程と、
前記第２の発光素子、前記第４の発光素子、前記第６の発光素子、前記第８の発光素子、前記第１０の発光素子、および前記第１２の発光素子を組み合わせて、第２のプロジェクタに光を与えるように構成されたモジュールを構成する工程と、
を含む、
請求項２９に記載の方法。
【請求項３１】
前記第１の色範囲は、可視スペクトルの赤色部分内にあり、
前記第２の色範囲は、可視スペクトルの緑色部分内にあり、
前記第３の色範囲は、可視スペクトルの青色部分内にある、
請求項３０に記載の方法。
【国際調査報告】
2019537742.tif 000010
2019537742.tif 000011